(57)【要約】【課題】天井又は壁に張り付けられた内装用素材を洗浄して再生する際に、内装用素材の表面に付着している処理液が落下したり、たれるのを防止することができる手段を提供する。【解決手段】天井又は壁に張り付けられている内装用クロスを洗浄する洗浄器１は、ロッド部材３と、ユニバーサルジョイント４を介してロッド部材３に連結された基部５と、基部５に取り付けられたブラッシング部材６と、それぞれ基部５に取り付けられた処理液供給口７及び処理液吸引口８と、それぞれ処理液供給口７及び処理液吸引口８と連通する処理液供給通路９及び処理液吸引通路１０とを備えている。処理液供給口７には、処理液供給ポンプから、処理液供給通路９を介して洗浄処理液が供給される。内装用クロス１３に付着している処理液は、処理液吸引口８に吸引され、処理液吸引通路１０を通って回収される。【選択図】　図１
2004008738.tif 000002
【特許請求の範囲】
【請求項１】
天井又は壁に張り付けられている内装用素材を洗浄するための内装用素材の洗浄器であって、
ロッド部材と、
ロッド部材に連結された基部と、
基部に取り付けられ内装用素材をブラッシングすることができるブラッシング部材と、
ブラッシング部材が内装用素材に当接しているときに、内装用素材に洗浄処理液、濯ぎ処理液又は染み抜き処理液を塗布する処理液供給部と、
ブラッシング部材の周縁部近傍に位置し、内装用素材に付着している洗浄処理液、濯ぎ処理液又は染み抜き処理液を吸引する処理液吸引部とを備えていることを特徴とする内装用素材の洗浄器。
【請求項２】
天井又は壁に張り付けられている内装用素材を洗浄するための内装用素材の洗浄器であって、
ロッド部材と、
ロッド部材に取り付けられ、開口部を有する箱状部材と、
開口部の縁部に沿うようにして箱状部材に取り付けられ、内装用素材に当接することができる刷毛状部材と、
刷毛状部材が内装用素材に当接しているときに、開口部を通して内装用素材に洗浄処理液、濯ぎ処理液又は染み抜き処理液を噴射する処理液噴射部と、
内装用素材から箱状部材内に落下した洗浄処理液、濯ぎ処理液又は染み抜き処理液を回収する処理液回収部とを備えていることを特徴とする内装用素材の洗浄器。
【請求項３】
刷毛状部材の一部を囲うようにして箱状部材に取り付けられ内装用素材に当接することができるゴム製の当接部材と、当接部材により内装用素材から掻き取られて落下した洗浄処理液、濯ぎ処理液又は染み抜き処理液を処理液回収部に導く処理液通路とを備えていることを特徴とする請求項２に記載の内装用素材の洗浄器。
【請求項４】
天井又は壁に張り付けられている内装用素材を洗浄する際に、壁を伝って流下する洗浄処理液、濯ぎ処理液又は染み抜き処理液を回収するための処理液回収器であって、
上方に開く開口部を有し、洗浄処理液、濯ぎ処理液又は染み抜き処理液を貯留する処理液槽と、
開口部の縁部の一部に取り付けられ、処理液槽が壁付近に配置されたときに先端部を壁に当接させて壁を流下する洗浄処理液、濯ぎ処理液又は染み抜き処理液を処理液貯槽に案内する、可撓性材料からなる処理液案内部材とを備えていることを特徴とする処理液回収器。
【請求項５】
処理液槽の底壁の外面に取り付けられ、床面との間に摩擦を生じさせる摩擦部材を備えていることを特徴とする請求項４に記載の処理液回収器。
【請求項６】
天井又は壁に張り付けられている内装用素材を洗浄するための内装用素材の洗浄装置であって、
ロッド部材と、ロッド部材に連結された基部と、基部に取り付けられ内装用素材をブラッシングすることができるブラッシング部材と、ブラッシング部材が内装用素材に当接しているときに内装用素材に洗浄処理液、濯ぎ処理液又は染み抜き処理液を塗布する処理液供給部と、ブラッシング部の周縁部近傍に位置し内装用素材に付着している洗浄処理液、濯ぎ処理液又は染み抜き処理液を吸引して回収する処理液吸引部とを有する洗浄器と、
上方に開く開口部を有し洗浄処理液、濯ぎ処理液又は染み抜き処理液を貯留する処理液槽と、開口部の縁部の一部に取り付けられ処理液槽が壁付近に配置されたときに先端部を壁に当接させて壁を流下する洗浄処理液、濯ぎ処理液又は染み抜き処理液を処理液槽に案内する可撓性材料からなる処理液案内部材とを有し、内装用素材を洗浄する際に壁を伝って流下する洗浄処理液、濯ぎ処理液又は染み抜き処理液を回収する処理液回収器とを備えていることを特徴とする内装用素材の洗浄装置。
【発明の詳細な説明】
【０００１】
【発明の属する技術分野】
本発明は、天井又は壁に張り付けられている内装用クロスその他の内装用素材を洗浄して再生する際に用いられる内装用素材の洗浄器及び洗浄装置並びに処理液回収器に関するものである。
【０００２】
【従来の技術】
一般に、建物の天井、壁等には、内装用素材を用いて内装が施されるが、かかる内装用素材としては、美観に優れていることから、従来、塩化ビニルあるいは布織物等からなる内装用クロスが広く用いられている。しかしながら、かかる内装用クロスは、自然劣化により、あるいは煙草の煙、油煙、スス、かびの発生等により次第に汚れてゆく。そして、このような汚れが目立つようになったときには、通常、天井又は壁に改装が施される。このような改装を行う場合、従来、汚れた内装用クロスを剥がして、新しい内装用クロスに張り替えるといった対応がなされている。
【０００３】
しかしながら、このように内装用クロスを張り替える場合、張り替え工事に長時間を要するとともに、そのコストが非常に高くつくといった問題がある。すなわち、新たに内装用クロスを購入しなければならず、また古い内装用クロスを剥がした上で、新しい内装用クロスを張るのにかなりの労力を要し、その手間賃が高くつく。さらには、剥がした内装用クロスを廃棄処理しなければならない。なお、このような、問題は、内装用クロスだけではなく、その他の内装用素材、例えば内装用ペーパーなどについても生じるのはもちろんである。
【０００４】
かくして、本願出願人らは、このような問題を解決すべく、洗浄処理液、染み抜き液等を内装用素材に散布して該内装用素材の美観を回復させるようにした内装用素材の再生方法を提案している（特開２０００−１７６３９０号公報参照）。しかしながら、この従来の内装用素材の再生方法では、内装用素材の洗浄作業時に、洗浄処理液等が飛散するので、作業環境が悪化するといった問題がある。そこで、本願出願人は、塗布装置を用いて内装用素材に洗浄処理液等を塗布し、洗浄処理液等の飛散を防止するようにした内装用素材の洗浄方法を提案している（特開２００２−６６４７４号公報参照）。
【０００５】
【発明が解決しようとする課題】
しかしながら、このような塗布装置を用いた従来の内装用素材の洗浄手法では、天井又は壁に張り付けられた内装用素材の表面に付着している洗浄処理液、濯ぎ処理液又は染み抜き処理液等が落下（滴下）したり、たれることがある。このため、洗浄処理液、濯ぎ処理液又は染み抜き処理液等が洗浄作業者の皮膚ないしは衣服に付着したり、床を汚したりするなどとといった問題がある。
【０００６】
本発明は、上記従来の問題を解決するためになされたものであって、天井あるいは壁に張り付けられた内装用素材を洗浄して再生する際に、内装用素材の表面に付着している洗浄処理液、濯ぎ処理液又は染み抜き液等が落下したり、たれるのを防止することができる手段を提供することを解決すべき課題とする。
【０００７】
【課題を解決するための手段】
上記課題を解決するためになされた本発明にかかる第１の内装用素材の洗浄器は、（ｉ）天井又は壁に張り付けられている内装用素材（例えば、内装用クロス、内装用ペーパー等）を洗浄するための内装用素材の洗浄器であって、（ｉｉ）ロッド部材と、（ｉｉｉ）ロッド部材に（首振り可能に）連結された基部と、（ｉｖ）基部に取り付けられ内装用素材をブラッシングする（物理的洗浄を行う）ことができるブラッシング部材（例えば、ブラシ、刷毛、スポンジ、織布、不織布又は綿状体等）と、（ｖ）ブラッシング部材が内装用素材に当接しているときに、内装用素材に洗浄処理液、濯ぎ処理液、又は染み抜き処理液ないし漂白液（以下、これらを「処理液」と総称する。）を塗布（供給）する処理液供給部と、（ｖｉ）ブラッシング部材の周縁部近傍に位置し、内装用素材に付着している処理液を吸引する処理液吸引部とを備えていることを特徴とするものである。
【０００８】
この第１の内装用素材の洗浄器によれば、天井又は壁に張り付けられている内装用素材を、処理液を塗布しながらブラッシングすることができるので、処理液を飛散させることなく内装用素材を迅速かつ能率的に洗浄し、濯ぎ又は漂白することができる。また、内装用素材に付着している処理液は、処理液吸引部により吸引されて回収されるので、天井あるいは壁に張り付けられた内装用素材を洗浄して再生する際に、内装用素材の表面に付着している処理液が落下したり、たれるのを防止することができる。
【０００９】
本発明にかかる第２の内装用素材の洗浄器は、（ｉ）天井又は壁に張り付けられている内装用素材を洗浄するための内装用素材の洗浄器であって、（ｉｉ）ロッド部材と、（ｉｉｉ）ロッド部材に取り付けられ、開口部を有する箱状部材と、（ｉｖ）開口部の縁部に沿うようにして箱状部材に取り付けられ、内装用素材に当接することができる刷毛状部材と、（ｖ）刷毛状部材が内装用素材に当接しているときに、開口部を経由して内装用素材に処理液を噴射する処理液噴射部と、（ｖｉ）内装用素材から箱状部材内に落下した処理液を（吸引等により）回収する処理液回収部とを備えていることを特徴とするものである。
【００１０】
この内装用素材の洗浄器においては、刷毛状部材の一部を囲うようにして箱状部材に取り付けられ内装用素材に当接することができるゴム製（あるいは可撓性を有する樹脂製）の当接部材と、当接部材により内装用素材から掻き取られて落下した処理液を処理液回収部に導く処理液通路とを備えているのが好ましい。
【００１１】
この内装用素材の洗浄器によれば、天井又は壁に張り付けられている内装用素材に処理液が噴射されるので、ブラッシングないし物理的洗浄を行わなくても、内装用素材を迅速かつ能率的に洗浄し、濯ぎ又は漂白することができる。したがって、ブラッシングないし物理洗浄により破損するおそれのある内装用素材でも、支障なく洗浄し、濯ぎ又は漂白することができる。また、内装用素材に噴射された処理液は、箱状部材内に流下又は落下し、処理液回収部によって回収されるので、内装用素材を洗浄して再生する際に、内装用素材の表面に付着している処理液が床に落下したり、たれるのを防止することができる。なお、刷毛状部材は、噴射された処理液が箱状部材外に飛散するのを防止する。また、処理液回収部が吸引により処理液を回収するようになっている場合、空気は刷毛状部材の隙間を通ることができるので、箱状部材内が減圧状態となるのを防止することができる。
【００１２】
この第２の洗浄器に、上記当接部材と上記処理液通路とが設けられている場合は、内装用素材を洗浄し、濯ぎ又は漂白する際に、内装用素材に付着している処理液が当接部材によって適度に掻き取られ、処理液通路を経由して回収される。このため、内装用素材上に残留する処理液の量を調節することができる。
【００１３】
本発明にかかる処理液回収器は、（ｉ）天井又は壁に張り付けられている内装用素材を洗浄する際に、壁を伝って流下する処理液を回収するための処理液回収器であって、（ｉｉ）上方に開く開口部を有し、処理液を貯留する処理液槽と、（ｉｉｉ）開口部の縁部の一部に取り付けられ、処理液槽が壁付近に配置されたときに先端部を壁に当接させて壁を流下する処理液を処理液貯槽に案内（導入）する、可撓性材料からなる処理液案内部材とを備えていることを特徴とするものである。
この処理液回収器においては、処理液槽の底壁の外面に取り付けられ、床面との間に摩擦を生じさせる摩擦部材を備えていてもよい。
【００１４】
この処理液回収器によれば、壁を伝って流下し、あるいはたれる処理液が処理液槽に回収されるので、床には流下しない。なお、摩擦部材が設けられている場合は、作業者の接触等により処理液回収器が位置ずれするのを防止することができる。
【００１５】
本発明にかかる内装用素材の洗浄装置（洗浄システム）は、本発明にかかる上記第１の洗浄器と、本発明にかかる上記処理液回収器とを備えていることを特徴とするものである。この内装用素材の洗浄装置によれば、処理液を飛散させることなく、内装用素材を迅速かつ能率的に洗浄し、濯ぎ又は漂白することができ、また内装用素材の表面に付着している処理液が落下したり、たれるのを防止することができる。さらに、壁を伝って流下し、あるいはたれる処理液の床への流下を防止することができる。
【００１６】
【発明の実施の形態】
（実施の形態１）
以下、本発明の実施の形態１を具体的に説明する。まず、本発明にかかる洗浄装置、洗浄器あるいは処理液回収器を用いた内装用クロス（内装用素材）の再生プロセスの概要を説明する。なお、この内装用クロスの再生プロセスは、実質的に、洗浄工程と、第１の濯ぎ工程と、漂白工程と、第２の濯ぎ工程と、加熱・乾燥工程とからなる。
【００１７】
（１）洗浄工程
この内装用クロスの再生プロセスにおいては、まず、洗浄器１及び処理液回収器２（それぞれ、図１（ａ）及び図２（ａ）参照）を用いて、内装用クロスの表面に、洗浄処理液を塗布しつつブラッシング（物理的洗浄）を行って洗浄処理を施す。ここで、処理液回収器２は、壁を伝って流下する（たれる）洗浄処理液を回収する。洗浄処理液としては、例えば、アルカリ性無機洗浄剤を水に溶解させたものを用いることができる。なお、洗浄処理液に、必要に応じて、汚れ分解酵素や漂白剤を添加してもよい。洗浄処理液の塗布量は、１０〜１００ｇ／ｍ２程度とするのが好ましい。この洗浄工程では、洗浄処理液の塗布ないし供給とブラッシングとを同時に行うので、別途に物理的洗浄工程を設ける必要はない。このため、洗浄処理を簡素化・迅速化することができる。
【００１８】
洗浄処理液は、ｐＨが１０以上であり（アルカリ性）、広範囲な汚れを落とすことができるものである。代表的なアルカリ性無機洗浄剤としては、例えば、ナトリウム系又はカリウム系のアルカリ金属塩、珪酸塩、アンモニア化合物などのアルカリ性物質を含有する水系洗浄剤があげられる。
【００１９】
汚れ分解酵素を用いる場合は、内装用クロス全体を均一に洗浄することができる。漂白剤を用いた場合は、内装用クロスを高明度に洗浄することができる。漂白剤は、アルカリ側で効果が大きい酸素系酸化型漂白剤であるのが好ましく、具体的には、例えば過酸化水素１〜３５ｗｔ％水溶液、過酸化ナトリウム１〜２０ｗｔ％水溶液などを用いることができる。
【００２０】
（２）第１の濯ぎ工程
洗浄処理の後、洗浄器１（図１参照）を用いて、内装用クロスの表面に、濯ぎ処理液として水を塗布しつつブラッシングを行って濯ぎ処理を施す。この濯ぎ処理により、内装用クロスの表面に付着している洗浄処理液が除去される。
【００２１】
（３）漂白工程
第１の濯ぎ処理の後、洗浄器１（図１参照）を用いて、内装用クロスの表面に、染み抜き処理液（漂白処理液）を塗布しつつブラッシングを行って漂白処理を施す。染み抜き処理液としては、例えば水溶性溶剤と漂白剤とを混合したものを用いることができる。水溶性溶剤としては、内装用クロスの中に浸透して汚れを浮き出させることができ、かつ内装用クロスを傷めないタイプの水溶性溶剤、例えばメチルエーテル、エチルエーテル、ブチルエーテル、メチレングリコール、エチレングリコール、ブチレングリコール等を用いるのが好ましい。漂白剤としては、塩素系酸化型漂白剤、例えば次亜塩素酸ナトリウム水溶液（有効塩素１〜１２ｗｔ％）などを用いることができる。
【００２２】
（４）第２の濯ぎ工程
漂白処理の後、洗浄器１（図１参照）を用いて、内装用クロスの表面に、濯ぎ処理液として水を塗布しつつブラッシングを行って濯ぎ処理を施す。この濯ぎ処理により、内装用クロスの表面に付着している染み抜き液が除去される。
【００２３】
（５）加熱・乾燥工程
第２の濯ぎ処理の後、内装用クロスに、加熱・乾燥処理を施す。なお、とくに必要がなければ、この加熱・乾燥処理は省略してもよい。
かくして、塩化ビニル、布織物等からなる内装用クロスの汚れを完全に除去することができ、該内装用クロスを良好な美観を呈するように再生することができる。この内装用クロスの再生プロセスによれば、内装用クロスに染み込んだ汚れを完全に除去することができる。また、内装用クロスの洗浄が均一なものとなる。
【００２４】
なお、このような再生プロセスは、内装用クロスの再生だけでなく、その他の種々の内装用素材の再生にも用いることができるのはもちろんである。例えば、天井に張り付けられた吸音板や塩化ビニルクロス、壁に張り付けられた織物や塩化ビニルクロス等の再生にも用いることができる。
【００２５】
以下、上記の内装用クロスの再生プロセスの洗浄工程、濯ぎ工程又は染み抜き工程で用いられる洗浄器１及び処理液回収器２の具体的な構造及び機能を説明する。まず、洗浄器１の構造及び機能を説明する。
図１（ａ）、（ｂ）に示すように、洗浄器１は、細長いロッド部材３と、ユニバーサルジョイント４を介してロッド部材３に連結された基部５と、基部５に取り付けられたブラッシング部材６と、それぞれブラッシング部材６内において基部５に取り付けられた処理液供給口７及び処理液吸引口８と、それぞれ、処理液供給口７及び処理液吸引口８と連通する処理液供給通路９及び処理液吸引通路１０とを備えている。
【００２６】
ここで、基部５は、ユニバーサルジョイント４を介してロッド部材３に連結されているので、ロッド部材３に対する連結姿勢ないし連結角度を自在に変化させることができる。すなわち、前後左右に自在に首振り動作をすることができる。したがって、ロッド部材３を把持している作業者は、ブラッシング部材６（基部５）を、天井又は壁１２（図２（ｂ）参照）に張り付けられた内装用クロス１３（図２（ｂ）参照）に沿って所望の方向（例えば、天井では前後左右、壁では上下左右）に移動させる際に、内装用クロス１３の表面の任意の部位にブラッシング部材６を容易に当接させることができる。なお、ユニバーサルジョイント４に代えて、一方向のみに首振り動作をすることができる連結具を用いてもよい。また、ロッド部材３は伸縮自在であるのが好ましい。
【００２７】
基部５のブラッシング部材取付面は長方形であり、該長方形の短辺方向のほぼ中央位置に、該長方形の長辺方向に直線状に伸びる細長い処理液供給口７が配置されている。処理液供給口７は、ブラッシング部材６が内装用クロス１３に当接しているときに該内装用クロス１３に洗浄処理液、濯ぎ処理液又は染み抜き処理液（以下、これらを「処理液」と総称する。）を、連続的又は間欠的に塗布ないし供給する。なお、図１（ｂ）中の処理液供給部７近傍の各矢印は、処理液の流れ方向を示している。処理液供給口７には、処理液供給ポンプ（図示せず）から、処理液供給通路９を介して洗浄処理液が供給される。
【００２８】
また、基部５の長方形のブラッシング部材取付面には、該長方形の両長辺及び両短辺のやや内側（ブラッシング部材の周縁部近傍）においてそれぞれ長辺方向又は短辺方向に直線状に伸びる４つの処理液吸引口８が配置されている。詳しくは図示していないが、処理液吸引口８は処理液吸引通路１０の一端と連通し、処理液吸引通路１０の他端はバキュームポンプ（図示せず）に接続されている。このため、ブラッシング部材６を内装用クロス１３に当接させているときには、内装用クロス１３に付着している処理液は、処理液吸引口８に吸引され、処理液吸引通路１０を通って回収される。
【００２９】
処理液供給通路９及び処理液吸引通路１０は、ほぼロッド部材３の内部に形成されている。ただし、処理液供給通路９は、基部５付近では、二手に分岐してロッド部材３の外に露出している。
なお、図１（ｃ）に示すように、処理液の処理液吸引口８への吸引を促進するために、ブラッシング部材６の周縁部にゴムガード１１を設けてもよい。
【００３０】
ブラッシング部材６は、ポリエステル、ナイロン、アクリル系樹脂等からなるブラシ、刷毛、スポンジ、織布、不織布又は綿状体で形成することができる。ブラッシング部材６の厚さは、例えば０．５〜１ｃｍである。ここで、ブラッシング部材６を、ポリエステル又はナイロンからなる糸状体又は繊維をタフト状に編んだもので形成すれば、その耐薬品性及び耐久性を高めることができる。なお、ブラッシング部材６をブラシ又は刷毛で形成する場合、その長さ及び目付け多さは、処理液の表面張力を利用できるよう、処理液が基部５全体ないしブラッシング部材６全体に広がるように設定する必要がある。
【００３１】
次に、内装用クロス１３を洗浄する際に、壁１２を伝って流下する処理液を回収するための処理液回収器２の具体的な構造及び機能を説明する。
図２（ａ）、（ｂ）に示すように、処理液回収器２は、上方に開く長方形の開口部を有し処理液を貯留する処理液槽１４と、該長方形の両長辺に対応する開口部の両縁部にそれぞれ取り付けられた処理液案内部材１５と、処理液槽１４の底壁の外面（下面）に取り付けられ床面１７との間に摩擦を生じさせる摩擦部材１６とを備えている。なお、摩擦部材１６は省いてもよい。
【００３２】
ここで、処理液案内部材１５は、ゴムその他の可撓性を有する０．５ｍｍ程度の薄い材料で形成され、該処理液回収器２が壁１２付近に配置されたときに、先端部を壁１２に当接させて、壁１２を流下する処理液を処理液槽１４に案内（導入）する。また、摩擦部材１６は、作業者の接触等により処理液回収器２が位置ずれするのを防止する。
【００３３】
このように、この内装用クロスの再生プロセスでは、洗浄工程、濯ぎ工程あるいは漂白工程で、上記特徴を備えた洗浄器１を用いるので、天井又は壁１２に張り付けられている内装用クロス１３を、処理液を塗布しながらブラッシングすることができる。このため、処理液を飛散させることなく内装用クロス１３を迅速かつ能率的に洗浄し、濯ぎ又は漂白することができる。また、内装用クロス１３に付着している処理液は、処理液吸引口８と処理液通路１０とを介して吸引され、回収されるので、天井又は壁１２に張り付けられた内装用クロス１３を再生する際に、内装用クロス１３の表面に付着している処理液が落下（滴下）したり、たれるのを防止することができる。また、処理液回収器２を用いるので、壁１２を伝って流下し、あるいはたれる処理液が処理液槽１４に回収され、床１７には流下しない。
【００３４】
（実施の形態２）
以下、本発明の実施の形態２を説明する。ただし、実施の形態２は、実施の形態１と、用いる洗浄器の形態が異なるだけである。そこで、説明の重複を避けるため、以下では、主として実施の形態２における洗浄器の構造及び機能を説明する。
【００３５】
図３（ａ）〜（ｃ）に示すように、実施の形態２にかかる洗浄器２０は、細長いロッド部材２１と、ロッド部材２１に取り付けられた箱状部材２２とを備えている。ロッド部材２１内には、処理液回収通路２３（中空部）が形成されている。すなわち、ロッド部材２１は筒状となっている。箱状部材２２は、略長方形の開口部を備えたじょうご状の形状を有している。そして、箱状部材２２の中空部２４は、ロッド部材２１内の処理液回収通路２３と連通している。詳しくは図示していないが、処理液回収通路２３はバキュームポンプ等によって吸引されるようになっている。
【００３６】
箱状部材２２には、略長方形の開口部の縁部に沿うように刷毛状部材２５（例えば、ナイロンブラシ）が取り付けられている。さらに、洗浄器２０には、開口部を通して洗浄器外に処理液（洗浄処理液、濯ぎ処理液又は染み抜き処理液）を噴射する処理液噴射部材２６が設けられている。詳しくは図示していないが、この処理液噴射部材２６には、高圧ポンプから高圧の処理液が供給されるようになっている。そして、処理液噴射部材２６に処理液が供給されたときには、この処理液は開口部を通って、洗浄器外に高圧で噴射される。
【００３７】
この洗浄器２０を使用する際には、天井に張り付けられた内装用クロス２７に刷毛状部材２５を当接させた上で、処理液噴射部材２６に処理液を供給して、この処理液を開口部を通して噴射する。そして、この噴射された処理液によって、天井に張り付けられた内装用クロス２７が、洗浄され、濯がれ、又は漂白される。このとき処理液は内装用クロス２７との衝突により四方に飛散するが、刷毛状部材２５によって遮られるので、洗浄器外には飛散しない。
【００３８】
そして、内装用クロス２７を洗浄し、濯ぎ、又は漂白した処理液は重力により、箱状部材２２の中空部２４に落下（滴下）ないしは流下し、この後ロッド部材２１内の処理液回収通路２３を通って回収される。処理液はバキュームポンプ等によって吸引されるので、迅速に回収ないし排出される。この場合、箱状部材２２内の中空部２４は、バキュームポンプ等により吸引されるが、刷毛状部材２５は空気を通すので、箱状部材２２内の中空部２４はさほど減圧状態とはならない。このとき、外部の空気が刷毛状部材２５の隙間を通して中空部２４内に流入するが、この空気の流れによって、霧状の処理液の外部への漏出が防止される。
【００３９】
この洗浄器２０を用いる場合、洗浄工程、濯ぎ工程あるいは漂白工程では、内装用クロス２７にブラッシングないしは物理的洗浄は施されない。このため、内装用クロス２７がブラッシングないしは物理的洗浄により破損されやすい材料のものであっても、該内装用クロス２７を破損することなく効果的に洗浄し、濯ぎ、又は漂白することができる。
【００４０】
なお、図４（ａ）、（ｂ）及び図５（ａ）〜（ｃ）に示すように、洗浄器２０に、刷毛状部材２７を三方から囲うようにして、内装用クロス２７に当接することができるゴム製の当接部材２８を設けるとともに、当接部材２８により内装用クロス２７から掻き取られて落下（滴下）ないし流下した処理液を処理液回収通路２３に導く処理液通路２９とを設けてもよい。このようにすれば、内装用クロス２７を洗浄し、濯ぎ又は漂白する際に、内装用クロス２７に付着している処理液が当接部材２８によって適度に掻き取られ、処理液通路２９を通って回収される。このため、内装用クロス２７上に残留する処理液の量を調節することができる。
【００４１】
ところで、洗浄器１、２０では、ロッド部材３、２１が比較長いので、とくに壁に張り付けられた内装用クロスを洗浄し、濯ぎ又は漂白する際に、作業者はロッド部材３、２１を支えるのにかなりの力を必要とする。このため、洗浄器１、２０を上下に移動させるのに労力を要する。そこで、ロッド部材３、２１の中間部から分岐して作業者の手元まで伸びる補助ロッドを設けるのが好ましい。なお、洗浄器１、２０を用いて、壁に張り付けられた内装用クロスを洗浄し、濯ぎ又は漂白する際に、この補助ロッドは、ロッド部材３、２１の上側に位置するように配設される。このようにすれば、洗浄器１、２０を支えるのが容易となり、作業能率が向上する。
【００４２】
以上、本発明によれば、天井あるいは壁に張り付けられた内装用素材を洗浄して再生する際に、内装用素材の表面に付着している洗浄処理液、濯ぎ処理液又は染み抜き液等が落下（滴下）したり、たれるのを防止することができる。
【図面の簡単な説明】
【図１】（ａ）は本発明の実施の形態１にかかる洗浄器の斜視図であり、（ｂ）は（ａ）に示す洗浄器のブラッシング部材等の斜視図であり、（ｃ）はゴムガードを備えたブラッシング部材等の斜視図である。
【図２】（ａ）は本発明にかかる処理液回収器の斜視図であり、（ｂ）は壁付近に配置された（ａ）に示す処理液回収器の立面断面図である。
【図３】（ａ）は本発明の実施の形態２にかかる洗浄器の平面図（上面図）であり、（ｂ）は（ａ）に示す洗浄器の正面図であり、（ｃ）は（ａ）に示す洗浄器の側面断面図である。
【図４】（ａ）は本発明の実施の形態２の変形例にかかる洗浄器の斜視図であり、（ｂ）は（ａ）に示す洗浄器の側面断面図である。
【図５】（ａ）は本発明の実施の形態２の上記変形例にかかる洗浄器の平面図（上面図）であり、（ｂ）は（ａ）に示す洗浄器の正面図であり、（ｃ）は（ａ）に示す洗浄器の側面断面図である。
【符号の説明】
１…洗浄器、２…処理液回収器、３…ロッド部材、４…ユニバーサルジョイント、５…基部、６…ブラッシング部材、７…処理液供給口、８…処理液吸引口、９…処理液供給通路、１０…処理液回収通路、１１…ゴムガード、１２…壁、１３…内装用クロス、１４…処理液槽、１５…処理液案内部材、１６…摩擦部材、１７…床、２０…洗浄器、２１…ロッド部材、２２…箱状部材、２３…処理液回収通路、２４…中空部、２５…刷毛状部材、２６…処理液噴射部材、２７…内装用クロス、２８…当接部材、２９…処理液通路。
【図１】
2004008738.tif 000003
【図２】
2004008738.tif 000004
【図３】
2004008738.tif 000005
【図４】
2004008738.tif 000006
【図５】
2004008738.tif 000007